【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
対象画像データのメタデータから、第１の期間における前記対象画像データの複数のフレームそれぞれの平均輝度の最大値である最大平均輝度を示す輝度情報を取得する取得手段と、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定手段と、
を有し、
前記設定手段は、前記輝度情報に基づいて、前記最大平均輝度が第１の閾値よりも高い場合に、前記第２の制御モードを設定する
ことを特徴とする表示制御装置。
【請求項２】
前記設定手段は、前記輝度情報に基づいて、前記最大平均輝度が前記第１の閾値以下である場合に、前記第１の制御モードを設定する
ことを特徴とする請求項１に記載の表示制御装置。
【請求項３】
前記電力制限処理では、フレームの平均輝度であるフレーム平均輝度が第２の閾値よりも高い場合に表示輝度が低減され、
前記第２の制御モードでの上限表示輝度は、前記フレーム平均輝度が前記第２の閾値以下である場合における前記第１の制御モードでの上限表示輝度である第１の上限表示輝度よりも低く、且つ、前記第２の閾値よりも高い第２の上限表示輝度であり、
前記第１の閾値は、前記第２の上限表示輝度である
ことを特徴とする請求項１または２に記載の表示制御装置。
【請求項４】
前記取得手段は、前記複数のフレームを含む第２の期間における対象画像データの最大輝度である期間最大輝度を示す最大輝度情報をさらに取得し、
前記設定手段は、前記期間最大輝度が前記第１の上限表示輝度以下であり且つ前記最大平均輝度が前記第２の閾値以下である場合に、前記最大平均輝度が前記第１の閾値以下であるか否かにかかわらずに、前記第１の制御モードを設定する
ことを特徴とする請求項３に記載の表示制御装置。
【請求項５】
前記取得手段は、前記複数のフレームを含む第２の期間における対象画像データの最大輝度である期間最大輝度を示す最大輝度情報をさらに取得し、
前記設定手段は、前記最大平均輝度が前記第２の閾値以下である場合に、
前記期間最大輝度が前記第１の閾値よりも高く且つ前記第１の上限表示輝度以下であるならば、前記最大平均輝度が前記第１の閾値以下であるか否かにかかわらずに、前記第１の制御モードを設定し、
前記期間最大輝度が前記第１の閾値以下であるならば、前記最大平均輝度が前記第１の閾値以下であるか否かにかかわらずに、前記第２の制御モードを設定する
ことを特徴とする請求項３に記載の表示制御装置。
【請求項６】
前記取得手段は、前記複数のフレームを含む第２の期間における対象画像データの最大輝度である期間最大輝度を示す最大輝度情報をさらに取得し、
前記設定手段は、前記期間最大輝度が前記第１の上限表示輝度よりも高い場合に、前記最大平均輝度が前記第１の閾値よりも高いか否かにかかわらずに、前記第１の制御モードを設定する
ことを特徴とする請求項３〜５のいずれか１項に記載の表示制御装置。
【請求項７】
前記期間最大輝度が前記第１の上限表示輝度よりも高い場合の前記第１の制御モードでは、前記対象画像データの輝度レンジを所定の輝度レンジに圧縮する階調変換処理と、前記電力制限処理とを行って前記画像が前記表示部に表示され、
前記期間最大輝度が前記第１の上限表示輝度以下である場合の前記第１の制御モードでは、前記階調変換処理を行わずに前記電力制限処理を行って前記画像が前記表示部に表示される
ことを特徴とする請求項６に記載の表示制御装置。
【請求項８】
前記取得手段は、前記複数のフレームを含む第２の期間における対象画像データの最大輝度である期間最大輝度を示す最大輝度情報をさらに取得し、
前記設定手段は、
前記最大平均輝度が前記第１の閾値以下であり且つ前記期間最大輝度が前記第１の閾値よりも高い場合に前記第１の制御モードを設定し、
前記最大平均輝度が前記第１の閾値以下であり且つ前記期間最大輝度が前記第１の閾値以下である場合に前記第２の制御モードを設定する
ことを特徴とする請求項１〜７のいずれか１項に記載の表示制御装置。
【請求項９】
前記取得手段は、前記複数のフレームを含む第２の期間における対象画像データの最大輝度である期間最大輝度を示す最大輝度情報をさらに取得し、
前記設定手段は、
前記最大平均輝度が前記第１の閾値以下であり且つ前記期間最大輝度が前記第１の閾値よりも高い場合に、前記第１の制御モードを設定し、
前記最大平均輝度が前記第１の閾値よりも高く且つ前記期間最大輝度が前記第１の閾値以下である場合と、前記最大平均輝度および前記期間最大輝度が前記第１の閾値以下である場合とにおいて、前記第２の制御モードを設定する
ことを特徴とする請求項３に記載の表示制御装置。
【請求項１０】
前記第１の制御モードでは、前記対象画像データの輝度レンジを所定の輝度レンジに圧縮する階調変換処理と、前記電力制限処理とを行って前記画像が前記表示部に表示されることを特徴とする請求項９に記載の表示制御装置。
【請求項１１】
前記第１の制御モードでは、前記期間最大輝度と前記第１の上限表示輝度との差分に基づいて、前記階調変換処理として、前記対象画像データの輝度レンジの一部を圧縮する処理、または、前記対象画像データの輝度レンジの全体を圧縮する処理が行われる
ことを特徴とする請求項７または１０に記載の表示制御装置。
【請求項１２】
前記第１の期間は、複数のシーンを含む期間であり、
前記第２の期間は、１つのシーンの期間である
ことを特徴とする請求項４〜１１のいずれか１項に記載の表示制御装置。
【請求項１３】
対象画像データのメタデータから、第１の期間における前記対象画像データの複数のフレームそれぞれの平均輝度の最大値である最大平均輝度を示す輝度情報と、前記第１の期間における前記対象画像データの最大輝度である第１の期間最大輝度を示す第１の最大輝度情報とを取得する取得手段と、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定手段と、
を有し、
前記設定手段は、前記第１の期間最大輝度が所定の上限表示輝度以下であり、且つ前記最大平均輝度が第１の上限表示平均輝度以下である場合に、前記第１の制御モードを設定する
ことを特徴とする表示制御装置。
【請求項１４】
前記設定手段は、前記第１の期間最大輝度が前記所定の上限表示輝度よりも高い場合に、前記第１の制御モードを設定する
ことを特徴とする請求項１３に記載の表示制御装置。
【請求項１５】
前記設定手段は、前記第１の期間最大輝度が前記所定の上限表示輝度以下であり、且つ前記最大平均輝度が前記第１の上限表示平均輝度より高い第２の上限表示平均輝度よりも高い場合に、前記第２の制御モードを設定する
ことを特徴とする請求項１３または１４に記載の表示制御装置。
【請求項１６】
前記取得手段は、前記第１の期間よりも短い第２の期間における対象画像データの最大輝度である第２の期間最大輝度を示す第２の最大輝度情報をさらに取得し、
前記設定手段は、前記第１の期間最大輝度が前記所定の上限表示輝度以下であり、且つ前記最大平均輝度が前記第１の上限表示平均輝度よりも高く第２の上限表示平均輝度以下である場合に、前記第２の最大輝度情報に基づき前記第１の制御モードと前記第２の制御モードのいずれかを設定する
ことを特徴とする請求項１３〜１５のいずれか１項に記載の表示制御装置。
【請求項１７】
対象画像データのメタデータから、第１の期間における前記対象画像データの複数のフレームそれぞれの平均輝度の最大値である最大平均輝度を示す輝度情報を取得する取得ステップと、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定ステップと、
を有し、
前記設定ステップでは、前記輝度情報に基づいて、前記最大平均輝度が所定の閾値よりも高い場合に、前記第２の制御モードを設定する
ことを特徴とする表示制御方法。
【請求項１８】
対象画像データのメタデータから、第１の期間における前記対象画像データの複数のフレームそれぞれの平均輝度の最大値である最大平均輝度を示す輝度情報と、前記第１の期間における対象画像データの最大輝度である期間最大輝度を示す最大輝度情報とを取得する取得ステップと、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定ステップと、
を有し、
前記設定ステップでは、前記期間最大輝度が所定の上限表示輝度以下であり、且つ前記最大平均輝度が所定の上限表示平均輝度以下である場合に、前記第１の制御モードを設定する
ことを特徴とする表示制御方法。
【請求項１９】
コンピュータを請求項１〜１６のいずれか１項に記載の表示制御装置の各手段として機能させるためのプログラム。
【手続補正２】
【補正対象書類名】明細書
【補正対象項目名】０００８
【補正方法】変更
【補正の内容】
【０００８】
本発明の第１の態様は、
前記対象画像データのメタデータから、第１の期間における前記対象画像データの複数のフレームそれぞれの平均輝度の最大値である最大平均輝度を示す輝度情報を取得する取得手段と、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定手段と、
を有し、
前記設定手段は、前記輝度情報に基づいて、前記最大平均輝度が第１の閾値よりも高い場合に、前記第２の制御モードを設定する
ことを特徴とする表示制御装置である。
【手続補正３】
【補正対象書類名】明細書
【補正対象項目名】０００９
【補正方法】変更
【補正の内容】
【０００９】
本発明の第２の態様は、
対象画像データのメタデータから、第１の期間における前記対象画像データの複数のフレームそれぞれの平均輝度の最大値である最大平均輝度を示す輝度情報と、前記第１の期間における前記対象画像データの最大輝度である第１の期間最大輝度を示す第１の最大輝度情報とを取得する取得手段と、
前記対象画像データに基づく画像を、フレームごとに表示部の消費電力が所定の電力閾
値以下となるように表示輝度を低減する電力制限処理を行って表示部に表示する第１の制御モードと、前記電力制限処理を行わずに前記画像を前記表示部に表示する第２の制御モードとのいずれかを設定する設定手段と、
を有し、
前記設定手段は、前記第１の期間最大輝度が所定の上限表示輝度以下であり、且つ前記最大平均輝度が第１の上限表示平均輝度以下である場合に、前記第１の制御モードを設定する
ことを特徴とする表示制御装置である。
【手続補正４】
【補正対象書類名】明細書
【補正対象項目名】００１０
【補正方法】変更
【補正の内容】
【００１０】
本発明の第３の態様は、
前記対象画像データのメタデータから、第１の期間における前記対象画像データの複数のフレームそれぞれの平均輝度の最大値である最大平均輝度を示す輝度情報を取得する取得ステップと、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定ステップと、
を有し、
前記設定ステップでは、前記輝度情報に基づいて、前記最大平均輝度が所定の閾値よりも高い場合に、前記第２の制御モードを設定する
ことを特徴とする表示制御方法である。
【手続補正５】
【補正対象書類名】明細書
【補正対象項目名】００１１
【補正方法】変更
【補正の内容】
【００１１】
本発明の第４の態様は、
対象画像データのメタデータから、第１の期間における前記対象画像データの複数のフレームそれぞれの平均輝度の最大値である最大平均輝度を示す輝度情報と、前記第１の期間における対象画像データの最大輝度である期間最大輝度を示す最大輝度情報とを取得する取得ステップと、
前記対象画像データに基づく画像を、フレームごとに表示部の消費電力が所定の電力閾値以下となるように表示輝度を低減する電力制限処理を行って表示部に表示する第１の制御モードと、前記電力制限処理を行わずに前記画像を前記表示部に表示する第２の制御モードとのいずれかを設定する設定ステップと、
を有し、
前記設定ステップでは、前記期間最大輝度が所定の上限表示輝度以下であり、且つ前記最大平均輝度が所定の上限表示平均輝度以下である場合に、前記第１の制御モードを設定する
ことを特徴とする表示制御方法である。